【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
エアギャップを有する磁気コアと、前記エアギャップ内に少なくとも部分的に位置する磁界検出器と、導電性取付部材とを備え、
前記導電性取付部材は、前記磁気コアの対向する外面同士の間に延在する第一及び第二固定延長部と、前記両固定延長部を相互接続し前記エアギャップを跨いで設けられるブリッジ部とを少なくとも備え、前記ブリッジ部は、前記磁界検出器の接地端子と電気接触する電気端子を備える電流センサー。
【請求項２】
前記両固定延長部の両自由端が、前記磁気コアの前記外面の一つの上に折り曲げられる請求項１記載の電流センサー。
【請求項３】
前記取付部材の前記電気端子は、前記磁界検出器の導電性パッドに当接する弾性接触部を備える請求項１又は２記載の電流センサー。
【請求項４】
前記取付部材は、シートメタルから打抜かれたものである請求項１〜３のいずれかに記載の電流センサー。
【請求項５】
前記取付部材は、略平面である請求項４記載の電流センサー。
【請求項６】
前記取付部材は、前記取付部材及び磁気コアを筐体内に位置決めし固定するために、前記筐体の対応する空洞内に収容される一つ以上のタブを備える請求項１〜５のいずれかに記載の電流センサー。
【請求項７】
前記取付部材は、前記電気端子に対向し且つギャップにより前記電気端子から隔てられている位置決め用突出部を備え、前記ギャップは、前記電気端子と位置決め用突出部との間が弾性圧縮の状態で前記磁界検出器の一部が前記ギャップの間に挿入されるように構成される請求項１〜６のいずれかに記載の電流センサー。
【請求項８】
前記位置決め用突出部は、片持ちアーム形状である請求項１〜７のいずれかに記載の電流センサー。
【請求項９】
前記電気端子は、弾性の片持ちアーム形状である請求項１〜８のいずれかに記載の電流センサー。
【請求項１０】
前記磁界検出器は、回路基板と前記回路基板上に搭載される磁界センサーとを備える請求項１〜９のいずれかに記載の電流センサー。
【請求項１１】
前記磁界検出器の前記接地端子は、前記取付部材の前記電気端子に当接する導電性パッドを備える請求項１０に記載の電流センサー。
【手続補正２】
【補正対象書類名】明細書
【補正対象項目名】０００９
【補正方法】変更
【補正の内容】
【０００９】
本願明細書において開示されるのは、電流センサーであって、この電流センサーは、エアギャップを有する磁気コアと、前記エアギャップ内に少なくとも部分的に位置する磁界検出器と、導電性取付部材とを備え、前記導電性取付部材は、前記磁気コアの対向する面同士の間に延在する第一及び第二延長部と、前記両延長部を相互接続し前記エアギャップを跨いで設けられるブリッジ部とを少なくとも備え、前記ブリッジ部は、磁界検出器の接地端子と電気接触する電気端子を備える電流センサーである。
【手続補正３】
【補正対象書類名】明細書
【補正対象項目名】００１３
【補正方法】変更
【補正の内容】
【００１３】
有利には、磁気検出器を、接地端子を形成する接地パッドも更に備えた回路基板上に設けてもよく、この接地パッドは、取付部材の電気端子と電気接触する。
【手続補正４】
【補正対象書類名】明細書
【補正対象項目名】００１４
【補正方法】変更
【補正の内容】
【００１４】
好適には、取付部材の電気端子は、弾性のアーム形状であってもよく、この弾性のアームは、磁界検出器の回路基板が取付部材の電気端子に対してプラグ接触可能に挿入されうるように構成される。
【手続補正５】
【補正対象書類名】明細書
【補正対象項目名】００１６
【補正方法】変更
【補正の内容】
【００１６】
有利には、取付部材は、電気端子から隔てられ且つ電気端子に対向する位置決め用アームを更に備えてもよく、この位置決め用アームは、磁界検出器の回路基板をこの電気端子と位置決め用アームとの間においてクランプ締めするように構成される。また、電気端子及び／又は位置決め用アームは、磁界検出器のエアギャップ内における位置決め手段としての役割も果たす。また、弾性の電気端子は、振動や機械的衝撃を吸収し、磁界検出器をエアギャップ内において正しい位置に保持することを助ける。
【手続補正６】
【補正対象書類名】明細書
【補正対象項目名】００１７
【補正方法】変更
【補正の内容】
【００１７】
有利には、取付部材のこの構成によって、磁界検出器を、センサーの筐体内に且つ電気端子と位置決め用アームとの間においてプラグ接続可能にエアギャップを貫通して、挿入することによって組み立てることもできる。これにより、組立作業が簡素化されると同時に、磁気回路の接地と磁界検出器のエアギャップに対する位置決めとが保証されることとなる。
【手続補正７】
【補正対象書類名】明細書
【補正対象項目名】００２６
【補正方法】変更
【補正の内容】
【００２６】
取付部材１０は、ブリッジ部３４と、このブリッジ部３４において対向する両端部３８から延在して対をなす磁気コア固定延長部３６とを備える。この取付部材は、筐体固定部４０、４２を更に備えており、これらの筐体固定部は、図示する本実施形態においては、取付部材及び磁気回路を筐体内に位置決めし固定するために、筐体内の対応する空洞４４、４６に挿入されるタブ形状である。好適には、取付タブの少なくとも一つには、取付部材１０を筐体４へ碇着するためのかかり部４８又は他の碇着部材が設けられる。取付部材１０は、電気端子５０を更に備えており、この電気端子は、好適には、磁界検出器８の接地接触部２４へ弾性的に当接するための弾性の片持ちアーム形状であってもよい。更に、電気端子５０に対向し且つギャップによりこの電気端子から隔てられている位置決め用突出部５２が設けられてもよく、このギャップは、回路基板１８がギャップの間に圧縮嵌めの状態で挿入されるようになっている。これにより、位置決め用突出部５２は、磁界検出器８がエアギャップ１４内に挿入される際及びその後におけるセンサーの動作中の、磁界検出器８の案内用及び位置決め用の基準としての役割を果たすこととなる。
【手続補正８】
【補正対象書類名】明細書
【補正対象項目名】００２７
【補正方法】変更
【補正の内容】
【００２７】
位置決め用突出部５２は、電気端子５０と同一又は同様の形状であってもよいし、取付部材の電気端子５０と磁界検出器の接地端子２４との間で所望される又は必要な弾性及び接触圧力の量に応じて、電気端子よりも高い又は低い剛性を有する異なった形状であってもよい。さらには、本発明の範囲内において、電気端子を形成する実質的に剛性の突出部と、弾性の位置決め用突出部とを有することが可能である。また、磁界検出器８の対向する面上においてそれぞれ接地パッドに接触する、接地用突出部と位置決め用突出部との両方を有することも可能である。図示する本実施形態においては、位置決め用突出部５２はある一定の弾性を有するが、これは電気端子５０の弾性よりも低くなっており、これにより、位置決め用突出部５２は回路基板の位置決め用の基準としての役割を果たすこととなり、一方、弾性の電気端子５０は回路基板の厚みの公差に対してある程度の調整を行うこととなる。電気端子５０と位置決め用アーム５２との弾性が合わさることによって、取付部材と接地パッド２４との間の電気接続の完全性が保証されると同時に、衝撃や振動への耐性が提供される。
【手続補正９】
【補正対象書類名】図面
【補正対象項目名】図１
【補正方法】変更
【補正の内容】
【図１】
2011509400.tif 000001